(57)【要約】【課題】人工肛門の排泄物収容パウチに溜った排泄物を人体に装着のまま、セットの管筒具を取り付け短時間で簡単に、何処でも、手を汚すこと無く水で洗浄し、トイレに排泄し携帯可能でパウチを幾回も使える安価で経済的なパウチセット。【解決手段】上部に開閉自在な注水口を備えたパウチと、パウチの下部排出口を嵌合可能な口径の樹脂シートの管筒具の上部に、可撓性板と接着補助材の装備でパウチと連結し、小型瓶で注水しパウチ内部を洗浄してセットの管筒具から排出する。【選択図】図１
0003130248.tif 000002
【実用新案登録請求の範囲】
【請求項１】
樹脂系シートの結合で構成され、人工肛門排泄物収容パウチの排出口より広い口径と長尺の管筒状装具の、表裏上端の一方に可撓性板と接着補助材、他方に接着補助材を装備し、上端から可撓性板幅に適合する折返し用の切込み部を設け、人体に装着されたパウチと管筒状装具を連結しパウチ内部を洗浄し取捨する、組合わせを特徴とする洗浄具セットパウチ。
【請求項２】
パウチの上部に押圧嵌合開閉自在の開口と可撓性板を備え、排泄物収容の開孔と下部に排出口と閉塞クリップ及び可撓性板を備える、人体に装着されたパウチと管筒状装具を連結しパウチ内部を洗浄し取捨する、組合わせを特徴とする請求項１記載の洗浄具セットパウチ。
【請求項３】
注水瓶と排出口に汚水横溢防止に閉塞クリップをセットに装備する、請求項１及び２記載の洗浄具セットパウチ。
【考案の詳細な説明】
【技術分野】
【０００１】人工肛門より排泄された排泄物を収容するパウチの洗浄に関するものである。
【背景技術】
【０００２】従来使用の人工肛門排泄物収容パウチは複数の柔軟性樹脂シートを結合成形してなる袋体で、中央に排泄物を受容する開孔が在り下辺に排出口を備え、排出口を構成する２枚のシートの単面に形状保持プレートの可撓性板を装備し、可撓性板の両端を持って圧迫すると可撓して排出口を開孔し排出操作を容易にしている。
排泄物を蓄積し排出までの漏出防止の閉塞に、排出口上部に面ファスナー又はクリップを用い排出口の開閉を管理しているものが多い。【０００３】人工肛門排泄物の排出操作は、パウチに蓄積された排泄物を手動で絞り出し排出口より排出するもので、その排泄物は泥状又は軟便状態の排泄が多く、パウチ内に充満付着し手絞りで完掃することは非常に困難である。
然し、パウチ装具の販売説明や操作説明にはパウチの機能に重点が置かれ、排出操作や作業状況の説明解説は充分で無く、使用患者は人体に装着して始めて予想以上の残渣による汚泥と不快感覚を耐えることが実情となっている。【０００４】柔軟液状又は軟弱状の物を手で絞り出して完掃できるものでは無く、従来より残渣付着の排出清掃は難解な事態として回避及び放置されているが、近年に至りパウチを改良し２品系と言う面板とパウチを分別して組合わせ、排泄が有れば排泄物を収容したパウチ単品を分離し放棄する物が提供されているが、面板は継続して使用するので、継続する面板にも汚泥残渣は付着し清掃作業が必要であり、これも亦作業は難渋する。
【考案の開示】
【考案が解決しようとする課題】
【０００５】
【特許文献１】  特開２００５−２４８５８１
【特許文献２】  特開平０８−５６９７６
【特許文献３】  特公平１１−５１１０５３
【特許文献４】  登録実用新案第３０９３９４４号パウチの清掃は必需問題であるので先願も有り、文献１及び２はパウチを人体から取外し専用の水利用の機械で清掃するものである。
文献３及び４は装着のまま水と専用器具で洗浄するものである。
文献１及び２は人体から分離して洗浄する操作は現在では２品系を用いられ、文献３及び４の水を機械で噴出し洗浄を行う特記の理論は良策で有るが、現実は理論どうりに進展せず文献３の図４が示す排出作業は、立身又は腰掛けて行ってもパウチとトイレ間に距離間隔が存在し、柔軟なシート製のパウチを維持し排泄物と噴出する汚水を手も汚さず如何な操作で目標のトイレに正確に投棄するのか疑問が発生する。従来よりこの距離間隔の解消対策が創出され無いので洗浄が難題としてで残留しているものである。【０００６】パウチを人体から剥離し機械による洗浄手法で洗浄し再び貼付する方式は、理論上の話で剥離された面板の接着剤は再使用で接着力が低下し、漏出や剥離が発生するので現在は採用されず２品系が用いられている、然し２品系を採用しても面板周囲の残渣の清掃が必要で、現在の装具で人体装着のまま排泄具の洗浄は不可能とするものである。【０００７】人工肛門の排泄物処理のパウチが創出されてから長期の経過に拘わらず、パウチの改良は盛んに開発されるが、パウチの清掃洗浄に関する用品の現品化された物は無い。
【課題を解決するための手段】
【０００８】本考案は機械や特別な器具を採用せず注水による洗浄と、パウチと同系の樹脂シートの構成で経済的に安価な管筒状の装具をワン・セットにして連結し、パウチ内部を洗浄し取捨するものである。
【考案の効果】
【０００９】パウチ内部の洗浄はパウチに注水し、洗浄操作はパウチの外面から撹拌するので手が汚れることは無く、連結される管筒状装具は１ｍ余の充分な長さを用意して置き、投棄場所との距離を考慮し自在に調節を行い、先端をトイレその他の投棄目標に投入し飛散防止を準備し、汚水を取捨するので飛散することは無く、又一回の洗浄で清掃が完了しない場合は注水を繰り返し洗浄を行い、完了により管筒状装具を取り外し、排出口を紙等で汚れを拭き取り装具と共にポリ袋に入れゴミとして処分する。
この方式に拠れば高齢者のセルフ・ケアも又寝た切り患者の介護にもバケツ等への取捨が容易に行え、手や衣服や場所を汚すことの無い便利なものである。
【考案を実施するための最良の形態】
【００１０】本発明の実施の形態について、図面を参照しながら説明する。
【実施例】
【００１１】図１は本考案の、パウチ正面図である。
パウチ１は樹脂系シートで構成され、上部に押圧嵌合して開閉が自在な注水口４と排泄物収容の通過開孔２が設けられ、下部に排出口３を備えるパウチ１の注水口４下に樹脂系可撓性板５を表側１ａに可撓性板５ａと裏側１ｂに可撓性板５ｂを備え、排出口３に可撓性板５ｃと閉塞クリップ６を装備したものである。【００１２】開閉自在な注水口４を設けられたパウチ１は、材質が樹脂シートで柔軟なため注水時の開口維持が困難で有るために、パウチ１表裏に可撓性板５ａ・５ｂを装備し、開口に当たり注水口４の閉塞を解き、可撓性板５ａ・５ｂを両端から内側に圧力を加えれば上下に反り返えり開口を援助する。【００１３】パウチ１下部の排出口３に設けた可撓性板５ｃは、表裏に可撓性板５ｃ・５ｄを備えることが最良で有るが、２枚の可撓性板の厚みと硬い接触を使用者は装着場所が敏感で、嫌悪するので１枚の５ｃ装備に止め、他１枚５ｄを管筒状装具に設ける。
排泄物排出までの滞留を行う閉塞クリップ６が装備される。【００１４】図２は、管筒状装具の正面図である。
パウチ１同系の樹脂シートで管筒状に構成された装具７に、パウチ１の排出口３を嵌合可能な口径で概ね１ｍ位の長さに設ける。１ｍ位とするのは、使用者が立身してトイレに排出する動作に起因したものである。表面７ａ上端内側に接着補助材９ｂと裏面内側に可撓性板５ｄとその上辺に接着補助材９ａを備え、装具７上端両側に可撓性板５に適合する幅の切込み部８を設ける。
装具７とパウチ１の嵌合連結に当たり接着補助材９ａ・９ｂの被覆紙を剥して、パウチ１ａの可撓板５ｃと装具７ａの接着補助材９ｂを接着し、パウチ１ｂと装具７ｂの可撓板５ｄの接着補助材９ａを接着して連結を強化する。
接着補助材９は、例題を挙げれば両面テープ状の物で、接着剤の表面に被覆紙を備え被覆紙を剥離するまで他に接着しない機能とする。【００１５】図３は、パウチの縦断面図である。
パウチ１を構成する２枚の内、表面１ａの上部に凹凸嵌合４の一文字フアスナ或は円形嵌合フアスナ等の、開閉自在の注水口４と可撓性板５ａ及び排泄物収容孔２と排出口３と可撓性板５ｃを備え、裏面１ｂ上部に可撓性板５ｂと下部に閉塞クリップ６が装備されたパウチ１の縦断面図である。【００１６】図４は、管筒状装具の縦断面図である。
管筒状装具の表面７ａに接着補助材９ｂと裏面７ｂに可撓性板５ｄと上辺に接着補助材９ａを備えた管筒状装具７の縦断面図である。【００１７】図５は、管筒状装具の折返し縦断面図である。
折返された管筒状装具７ａの上部に接着補助材９ｂが内側に備えられ、管筒状装具７ｂに可撓性板５ｄと接着補助材９ａが備えられていて、折返されている為に接着補助材５ｂ・ｄは被覆紙を剥離しても目標箇所以外に接着することは無く、目標を確実に捕らえ正確に接着が出来る。【００１８】折返しが無い場合は、内側装備と狭小の為に接着補助材９の被覆紙を剥離すれば、操作が不自由である上にパウチ１及び管筒状装具７の材質が薄く柔軟で、目標外貼着が発生し操作作業の遅滞や用具装具の使用不能が発生する公算が大な、重要要件である。【００１９】接着補助材９はパウチ１の排出口３と管筒状装具７が連結され、開閉の連動を確実にするため及び２装具の連結を確実にするもので有る。然し乍、管筒状装具７は洗浄排出が完了すれば廃棄されるが、パウチ１は経済的に再度使用されるので、パウチ１に強力な接着剤の残渣は使用を阻害する恐れが有るので、接着力の減質で連動を妨げ無い適度の狭い幅とする。【００２０】図６は、管筒状装具の裏正面図である。
管筒状装具７ｂ上端より可撓性板５幅に適合する幅の切込み部８を備えた、概ね１ｍ程の長さで構成された薄く柔軟なシートで構成され、使用場所又は使用者の操作都合による裁断を可能とするものである。【００２１】図７は、管筒状装具の折返された裏正面図である。
切込み部８幅に折返された装具７ｂに可撓性板５ｄが備えられ、その表面上に接着を弱める為に狭い幅の補助材９ａを備える。【００２２】図８は、管筒状装具の表正面図である。
装具７ａ上端より裏面と同じ構成の切込み部８と内側に接着補助材９ｂを備えている。【００２３】図９は、管筒状装具の折返し表正面図である。
切込み部８幅に折返された装具７ａに狭い幅の補助材９ｂを備えている。【００２４】図１０は、注水瓶の正面図である。
注水用の先細口の小型瓶で、携帯する場合は空瓶で持ち歩き、排出に際し空瓶に水を貯え注水作業を行うことができる。
【産業上の利用可能性】
【００２５】本発明はパウチ使用者が長年、排泄物排出後も残渣の付着で汚泥に満ちたパウチを常時身体に装着している苦渋を、経済的に安価な費用で簡単容易に解消されることは実務的にも精神的にも多大な祝福となるものである。
【図面の簡単な説明】
【００２６】
【図１】パウチ正面図。
【図２】管筒状装具の正面図。
【図３】パウチの縦断面図。
【図４】管筒状装具の縦断面図。
【図５】管筒状装具の折返し縦断面図。
【図６】管筒状装具の裏正面図。
【図７】管筒状装具の折返し裏正面図。
【図８】管筒状装具の表正面図。
【図９】管筒状装具の折返し表正面図。
【図１０】注水瓶の正面図。
【符号の説明】
【００２７】１ａ    パウチ表面            ６      閉塞クリップ
１ｂ    パウチ裏面            ７ａ    管筒状装具表面
２      開  孔                ７ｂ    管筒状装具裏面
３      排出口                ８      切込み部
４      注水口                ９ａ    接着補助材
５ａ    可撓性板              ９ｂ    接着補助材
５ｂ    可撓性板            １０      注水瓶
【図１】
0003130248.tif 000003
【図２】
0003130248.tif 000004
【図３】
0003130248.tif 000005
【図４】
0003130248.tif 000006
【図５】
0003130248.tif 000007
【図６】
0003130248.tif 000008
【図７】
0003130248.tif 000009
【図８】
0003130248.tif 000010
【図９】
0003130248.tif 000011
【図１０】
0003130248.tif 000012